(57)【要約】【課題】比較的小さなブースにおいて利用者の作業スペースを確保できるとともに、意匠性を高めることができる貸金庫システムを提供する。【解決手段】貸金庫システム１は、認証機器３３が搭載されるとともに、貸金庫室５から搬送される保管函１１から物品を出し入れ可能とする開口部３４が形成された操作台ユニット７と、操作台ユニット７上から側方に延びる天板５５と、を備えている。【選択図】図１
2020070567.tif 000002
【特許請求の範囲】
【請求項１】
認証機器が搭載されるとともに、貸金庫から搬送される保管函から物品を出し入れ可能とする開口部が形成された操作台ユニットと、
前記操作台ユニット上から側方に延びる天板と、
を備える貸金庫システム。
【請求項２】
前記操作台ユニットは、
前記開口部が設けられた筐体と、
前記開口部を開閉するスライド蓋と、
前記筐体のうち前記開口部を回避した位置で、前記認証機器が設置された操作台と、を備え、
前記スライド蓋は、開位置において前記操作台の下側に配置されることを特徴とする請求項１に記載の貸金庫システム。
【請求項３】
前記天板が前記操作台を囲むように配されていることを特徴とする請求項２に記載の貸金庫システム。
【請求項４】
前記天板は、前記操作台ユニットに対して着脱自在に配されていることを特徴とする請求項１〜３のいずれか１項に記載の貸金庫システム。
【請求項５】
前記操作台ユニットは、平面視において第１方向に延在するとともに、前記第１方向の第１側端部に前記開口部が位置し、第２側端部に前記認証機器が位置し、
前記天板は、前記操作台ユニットにおける前記第２側端部から平面視で前記第１方向に交差する第２方向に直線状に延びることを特徴とする請求項１〜４のいずれか１項に記載の貸金庫システム。
【請求項６】
前記天板の前縁は湾曲形状に形成されていることを特徴とする請求項１〜５のいずれか１項に記載の貸金庫システム。
【請求項７】
前記操作台ユニットは、
前記開口部が設けられた筐体と、
前記開口部を開閉するスライド蓋と、を備え、
前記認証機器は、前記筐体のうち、前記開口部に対して前記スライド蓋の開方向に配置され、
前記保管函は、前記保管函を開閉する函蓋を備え、
前記函蓋は、前記スライド蓋の開方向に対して反対側に開放されることを特徴とする請求項１〜６のいずれか１項に記載の貸金庫システム。
【請求項８】
前記操作台ユニットは、前記開口部を開閉するスライド蓋を備え、
前記保管函は、前記保管函を開閉する函蓋を備え、
前記操作台ユニットと前記天板とで囲まれた部分は、利用者の作業空間を構成し、
前記函蓋は、前記作業空間に対して反対側に開放されることを特徴とする請求項１〜６のいずれか１項に記載の貸金庫システム。
【発明の詳細な説明】
【技術分野】
【０００１】
本発明は、貸金庫システムに関する。
【背景技術】
【０００２】
従来、貸金庫室に保管された保管函を、利用者の求めに応じて利用者が入室するブースまで自動で搬送する貸金庫システムが知られている。ブースには、利用者が操作可能な操作台が設置されている。例えば下記特許文献１に記載の操作台は、利用者を認証する機能を有する認証機器が搭載された認証装置と、ブースに搬送された保管函に対して物品を出し入れ可能な開口部が形成された投入用デスクと、認証装置および投入用デスクの間に配置された天板と、を備えている。天板は、利用者の所持品や保管函に出し入れする物品等を一時的に載置できるようになっている。
【先行技術文献】
【特許文献】
【０００３】
【特許文献１】特許第６３８６６４７号公報
【発明の概要】
【発明が解決しようとする課題】
【０００４】
ここで、特許文献１に記載の貸金庫システムでは、認証装置と投入用デスクとが別々に設けられているため、認証装置および投入用デスクの設置スペースを広く確保する必要がある。したがって、特許文献１に記載の貸金庫システムにおいて、利用者の作業スペースとなる天板の面積を確保するためには、ブースの大型化に繋がる可能性があった。
さらに、特許文献１に記載の貸金庫システムでは、認証装置と投入用デスクの端面に天板が突き合わされた構成であるため、認証装置と天板との間、および投入用デスクと天板との間の繋ぎ目が目立ち、意匠性の観点から改良の余地が残されていた。
【０００５】
本発明は、比較的小さなブースにおいて利用者の作業スペースを確保できるとともに、意匠性を高めることができる貸金庫システムを提供することを目的とする。
【課題を解決するための手段】
【０００６】
本発明の態様に係る貸金庫システムは、認証機器が搭載されるとともに、貸金庫から搬送される保管函から物品を出し入れ可能とする開口部が形成された操作台ユニットと、前記操作台ユニット上から側方に延びる天板と、を備える。
【０００７】
本態様によれば、操作台ユニットに認証機器と開口部とが備えられることにより、認証機器および開口部をまとめて設置できる。これにより、操作台ユニットのコンパクト化を図ることできる。また、天板に対して片側に認証機器および開口部をまとめて設置できるので、認証機器および開口部が別々に設けられている場合に比べて、操作台ユニットのコンパクト化を図ることできる。そして、操作台ユニット上から側方に天板ユニットを延ばすことで、ブースの大型化を抑制した上で、天板上に十分な作業スペースを確保できる。その結果、貸金庫システムを快適に利用できる。
また、操作台ユニットと天板とを端面同士で突き合わせる場合に比べて、操作台ユニットと天板との繋ぎ目が目立ち難くなり、貸金庫システムの外観の意匠性を向上させることができる。
【０００８】
本発明に係る態様において、前記操作台ユニットは、前記開口部が設けられた筐体と、前記開口部を開閉するスライド蓋と、前記筐体のうち前記開口部を回避した位置で、前記認証機器が設置された操作台と、を備え、前記スライド蓋は、開位置において前記操作台の下側に配置されることが好ましい。
認証機器と開口部とをまとめて設置した場合には、開口部を配する第１領域、スライド蓋を移動させるために必要とする第２領域、さらに認証機器を配する第３領域を合わせた第１〜第３の３つの領域が操作台ユニットに必要となると考えられる。
これに対して、本態様では、スライド蓋の開位置において、操作台の下側にスライド蓋を配置することで、上述した第２領域及び第３領域を共用できる。これにより、上述した第１〜第３の領域を別々に設ける場合に比べて操作台ユニットのコンパクト化を図ることができる。
【０００９】
本発明に係る態様において、前記天板が前記操作台を囲むように配されていることが好ましい。
本態様によれば、操作台を囲むように天板を配することにより、天板の表面（以下、天板面という）を広く確保でき、広く確保した天板面を物品の仮置き場、あるいは作業領域とすることができ、操作台を快適に利用できる。
また、操作台を囲むように天板が配されることにより、天板のうち、操作台を囲む部分と、操作台ユニットから側方に張り出した部分と、を同じ高さにできる。これにより、認証機器の操作時と、天板上での作業時と、で利用者の手の上下動が発生し難い。これにより、利便性を向上させることができる。
【００１０】
本発明に係る態様において、前記天板は、前記操作台ユニットに対して着脱自在に配されていることが好ましい。
ここで、貸金庫システムにおいて、ブースの後方に貸金庫を配置した場合には、メンテナンス時等において、ブースから貸金庫にアクセスすることが考えられる。そこで、天板を操作台ユニットに対して着脱自在に配するようにした。これにより、天板の後方に貸金庫への出入口を設けることができる。すなわち、メンテナンス時等には、操作台ユニットから天板を外すことにより貸金庫へのアクセスが可能となる。これにより、天板と貸金庫への出入口を別々に設ける場合に比べて、ブースのコンパクト化を図った上で、天板の作業スペースを確保できる。
【００１１】
本発明に係る態様において、前記操作台ユニットは、平面視において第１方向に延在するとともに、前記第１方向の第１側端部に前記開口部が位置し、第２側端部に前記認証機器が位置し、前記天板は、前記操作台ユニットにおける前記第２側端部から平面視で前記第１方向に交差する第２方向に直線状に延びることが好ましい。
本態様によれば、操作台ユニットの第２側端部から天板を延ばすことで、操作台ユニットにおける開口部を回避した位置から天板を直線状に延ばすことができる。これにより、操作台ユニットと天板とを別体で形成した場合であっても、操作台ユニットと天板とを一体的な外観とすることができる。
加えて、天板を大きな作業スペースとすることが可能になり、ブースにおいて貸金庫システムを快適に利用できる。
【００１２】
本発明に係る態様において、前記天板の前縁は湾曲形状に形成されていることが好ましい。
本態様によれば、天板の前縁が湾曲状に形成されていることで、天板と保管函との間で物品を移動させる際に、物品が天板の前縁に接触して物品の移動が妨げられるのを抑制できる。すなわち、開口部から取り出した物品を天板面に円滑に移動させることができる。
【００１３】
本発明に係る態様において、前記操作台ユニットは、前記開口部が設けられた筐体と、前記開口部を開閉するスライド蓋と、を備え、前記認証機器は、前記筐体のうち、前記開口部に対して前記スライド蓋の開方向に配置され、前記保管函は、前記保管函を開閉する函蓋を備え、前記函蓋は、前記スライド蓋の開方向に対して反対側に開放されることが好ましい。
本態様によれば、函蓋を開放する際に、認証機器及び天板と開口部との間に函蓋が配置されるのを回避できる。これにより、操作台ユニットの上方空間を広く確保できるとともに、認証機器の操作後、開口部へのアクセスまでの間及び天板と保管函との間で物品を移動させる際に利用者と函蓋との干渉を抑制できる。これにより、利便性を向上させることができる。
【００１４】
本発明に係る態様において、前記操作台ユニットは、前記開口部を開閉するスライド蓋を備え、前記保管函は、前記保管函を開閉する函蓋を備え、前記操作台ユニットと前記天板とで囲まれた部分は、利用者の作業空間を構成し、前記函蓋は、前記作業空間に対して反対側に開放されることが好ましい。
本態様によれば、函蓋を開放する際に、利用者と開口部との間に函蓋が配置されるのを回避できる。これにより、開口部へアクセスする際に利用者と函蓋との干渉を抑制できる。これにより、利便性を向上させることができる。
【発明の効果】
【００１５】
本発明の貸金庫システムによれば、比較的小さなブースにおいて利用者の作業スペースを確保できるとともに、意匠性を高めることができる。
【図面の簡単な説明】
【００１６】
【図１】本発明に係る実施形態の貸金庫システムのスライド蓋が閉位置の場合を示す斜視図である。
【図２】実施形態の貸金庫システムのスライド蓋が開位置の場合を示す平面図である。
【図３】実施形態の貸金庫システムの操作システムを示す斜視図である。
【図４】実施形態の貸金庫システムの操作システムの分解斜視図である。
【図５】（ａ）は実施形態の貸金庫システムを示す正面図、（ｂ）は図５（ａ）に示すＶ部を拡大した正面図である。
【図６】実施形態の貸金庫システムのスライド蓋および函蓋が開位置の場合を示す側面図である。
【図７】実施形態に係る変形例の天板ユニットを示す拡大正面図である。
【発明を実施するための形態】
【００１７】
次に、本発明の実施形態を図面に基づいて説明する。なお、以下の説明において、フロア３に直交する方向を上下方向（矢印ＵＰが上側）とし、上下方向に直交する２方向をそれぞれ前後方向（矢印ＦＲが前側）および左右方向（矢印ＬＨが左側）として説明する。
【００１８】
本発明の実施形態による貸金庫システム１を図１〜図６に基づいて説明する。図１は、本発明に係る実施形態の貸金庫システム１において、スライド蓋５２が閉位置Ｐ２の場合を示す斜視図である。図２は、貸金庫システム１において、スライド蓋５２が開位置Ｐ１の場合を示す平面図である。
図１、図２に示すように、貸金庫システム１は、貸金庫室５からブース６に保管函１１を搬出し、搬出した保管函１１に物品の出し入れなどを行った後、保管函１１をブース６から貸金庫室５に搬入するシステムである。貸金庫システム１は、例えば金融機関などに導入されて使用される。
具体的には、貸金庫システム１は、貸金庫室（貸金庫）５と、ブース６と、操作システム９と、を備えている。
【００１９】
貸金庫室５には、ラック１０と、複数の保管函１１と、クレーン１２と、が設置されている。複数の保管函１１は、ラック１０に着脱自在に配置されている。クレーン１２は、ラック１０とブース６との間で保管函１１を搬送する。なお、保管函１１は利用者２（図３参照）ごとに決められている。保管函１１については図６で詳しく説明する。
【００２０】
図２に示すように、ブース６は、貸金庫室５の前方に隣接している。ブース６には、予め登録された利用者２のみが認証操作を行うことによって入室できる。ブース６は、後壁１５と、右壁１６と、左壁１７と、前壁１８と、で平面視矩形状に区画されている。なお、ブース６の平面視形状は、適宜変更可能である。ブース６は、貸金庫室５に対して前後左右の何れの方向に隣接していてもよい。また、貸金庫室５に対して複数のブース６が隣接していてもよい。
【００２１】
後壁１５は、貸金庫室５とブース６とを仕切る壁部である。後壁１５には、貸金庫室５内とブース６内とを連通させる第１出入口２０が形成されている。第１出入口２０は、第１ドア２１によって開閉可能とされている。すなわち、第１ドア２１が閉じられることにより、第１出入口２０が閉塞され、貸金庫室５とブース６とが仕切られる。第１ドア２１が開けられることにより、第１出入口２０が開放され、ブース６と貸金庫室５との間での出入りが可能になる。
【００２２】
右壁１６には、ブース６の内外を連通させる第２出入口２２が形成されている。第２出入口２２は、第２ドア２４によって開閉可能とされている。すなわち、第２ドア２４が閉じられることにより、ブース６と外部２５とが仕切られる。第２ドア２４が開けられることにより、外部２５とブース６との間での出入りが可能になる。
【００２３】
図３は、操作システム９を示す斜視図である。図４は、操作システム９の分解斜視図である。図３、図４は、スライド蓋５２が閉位置である場合を示す。
図３、図４に示すように、ブース６には、利用者２が操作可能な操作システム９と、利用者２が着座可能な椅子２３と、が設置されている。操作システム９は、後壁１５および左壁１７に沿って延びる平面視でＬ字状に形成されている。操作システム９は、操作台ユニット７および天板ユニット８を備えている。
【００２４】
操作台ユニット７は、筐体（デスク）３１と、操作台３２と、認証機器３３と、を備えている。筐体３１は、平面視において前後方向を長手方向とする直方体状に形成されている。筐体３１は、後壁１５に突き当たった状態で、ブース６の左壁１７の壁面に沿って前後方向に延在している。なお、筐体３１の内部は、後壁１５に形成された搬送口（不図示）を通じて貸金庫室５内に連通している。
【００２５】
筐体３１は、上方を向く第１表面３７と、第２表面３８と、を有する。
第１表面３７は、筐体３１の前部上面を構成している。第１表面３７は、平坦面とされている。第１表面３７の中央部には、筐体３１の内外を連通させる開口部３４が開口している。
図４に示すように、第２表面３８は、第１表面３７の後方において、筐体３１の後部上面を構成している。第２表面３８は、第１表面３７に対して上方に配置され、平坦なＬ字状に形成されている。第２表面３８の前端縁は、段部３９を介して第１表面３７の後端縁に連なっている。なお、段部３９は、筐体３１における左右方向の全域に亘って形成されている。
第２表面３８と第１表面３７との間に段部３９を形成した理由については後で詳しく説明する。
【００２６】
筐体３１のうち、第２表面３８の左後側の端部には操作台３２が設置されている。操作台３２は、筐体３１の後面と左面とに寄せた状態に配置されている。操作台３２は、操作面４２と、操作台段部４３と、を有する。操作面４２は、第２表面３８の上側に位置する平坦な面であり、第２表面３８から操作台段部４３で仕切られている。
【００２７】
操作台段部４３は、第１段部４３ａ、第２段部４３ｂ、および第３段部４３ｃにより平面視で右前方に突出する凸形Ｌ字状に形成されている。
第１段部４３ａは、段部３９に対して後方に間隔をおいて配置されている。第１段部４３ａは、第２表面３８から操作面４２まで立ち上げられた状態において左右方向に沿って延びている。
第２段部４３ｂは、筐体３１の右面に対して左右方向に間隔をおいて配置されている。第２段部４３ｂは、第２表面３８から操作面４２まで立ち上げられた状態において前後方向に沿って延びている。
第３段部４３ｃは、第２表面３８から操作面４２まで立ち上げられた状態において、第１段部４３ａの右側端４３ｄから第２段部４３ｂの前側端４３ｅまで、前方に向かうに従い左側に傾斜して延びている。
【００２８】
認証機器３３は、操作面４２上に設置されている。認証機器３３は、例えば利用者２がカード差込口４５からカードを差し込んだ後、タッチパネル式表示装置４６にパスワードなどを入力できるように構成されている。タッチパネル式表示装置４６に入力されたパスワードや、ＩＤカード認証装置などに基づいて利用者２が正規の利用者であることが特定された場合、保管函１１（図１参照）の取り出し操作が実行される。すなわち、貸金庫室５に保管された保管函１１は、上述した搬送口を通じてブース６の操作台ユニット７内（筐体３１内）まで搬出される。具体的に、保管函１１は、操作台ユニット７内において、開口部３４の下側まで搬出される。
なお、実施形態では、パスワードなどを入力する装置としてタッチパネル式表示装置４６を例示するが、その他の例として、タッチパネルを有しない表示装置を設けてもよい。
【００２９】
図２に戻って、開口部３４は、平面視において、前後方向を長手方向とする矩形状に形成されている。操作台ユニット７は、開口部３４を開閉するスライド蓋５２を備えている。スライド蓋５２は、利用者２がブース６に存在しない場合に常時閉位置Ｐ２に保持され、保管函１１が操作台ユニット７まで搬送された場合に開位置Ｐ１となるように構成されている。また、スライド蓋５２は、利用者２による保管函１１の利用後に閉位置Ｐ２となるように構成されている。
【００３０】
スライド蓋５２は、前後方向にスライド移動自在に支持されている。具体的には、スライド蓋５２は、操作台３２に向けて開位置Ｐ１まで開方向へ移動することにより開口部３４を開放する。これにより、操作台ユニット７まで搬出された保管函１１に開口部３４を通じてアクセス可能となる。
ここで、スライド蓋５２が開位置Ｐ１に配置された状態において、例えばスライド蓋５２の少なくとも後部５２ａ（図６も参照）が操作台３２の下側に配置される。すなわち、上述した認証機器３３（操作台３２）は、開口部３４に対してスライド蓋５２の開方向に配置されている。
【００３１】
一方、スライド蓋５２は、開位置Ｐ１から前方に向けて閉位置Ｐ２まで閉方向へ移動することにより開口部３４を閉じる。スライド蓋５２が閉方向へ移動することにより、後部５２ａが操作台３２の下側から抜け出す。すなわち、スライド蓋５２の後部５２ａは、開方向及び閉方向へ移動することにより、操作台３２の下側に出し入れされる。
スライド蓋５２の後部５２ａを操作台３２の下側に出し入れする構成とした理由については後で詳しく説明する。但し、スライド蓋５２は、必ずしも開位置Ｐ２において操作台３２と平面視で重なり合わなくてもよい。
【００３２】
このように、本実施形態の操作台ユニット７は、認証機器３３と開口部３４とが一体に備えられたユニットで、前後方向に延在している。そして、操作台ユニット７には、前部（第１側端部）に認証機器３３が設置され、後部（第２側端部）に開口部３４が形成されている。
【００３３】
天板ユニット８は、ブース６内において、第１ドア２１の前方に配置されている。そのため、天板ユニット８が設置された状態では、第１ドア２１が開閉不能とされている。天板ユニット８は、後壁１５および第１ドア２１に沿って操作台ユニット７上から側方（右側）に延在している。具体的に、天板ユニット８は、操作台ユニット７の後部から、操作台ユニット７の延在方向（操作台ユニット７における操作台３２と開口部３４とを結ぶ方向（前後方向））に対して交差する方向（左右方向）に延在している。これにより、操作台ユニット７及び天板ユニット８が互いに直交する方向に延在することで、操作システム９が平面視でＬ字状に形成されている。なお、ブース６内において、操作台ユニット７及び天板ユニット８で囲まれた部分は、椅子２３に利用者２が着座して操作システム９を操作する作業空間Ｓを構成している。
【００３４】
図５（ａ）は、貸金庫システム１を示す正面図である。図５（ｂ）は、図５（ａ）に示すＶ部を拡大した正面図である。
図４、図５に示すように、天板ユニット８は、脚部５４と、天板５５と、を備えている。脚部５４は、第１脚５７と、第２脚５８と、連結プレート５９と、を備えている。第１脚５７は、ブース６の後壁１５と、筐体３１の右面の後部と、に沿って配置されている。第１脚５７は、例えば筐体３１に着脱自在に連結されている。第１脚５７は、前後方向の幅寸法がＷ１となる板状に形成されている。
第２脚５８は、第１脚５７に対して右側に間隔をおいて位置し、ブース６の後壁１５と、ブース６の右壁１６の後部と、に沿って配置されている。第２脚５８は、第１脚５７と同様に、前後方向の幅寸法がＷ１となる板状に形成されている。なお、第１脚５７および第２脚５８は、ブース６の壁面や筐体３１から離間していてもよい。
【００３５】
連結プレート５９は、第１脚５７の上端部５７ａおよび第２脚５８の上端部５８ａを連結している。連結プレート５９は、第１ドア２１の前面に沿って左右方向に延びる。連結プレート５９のプレート表面５９ａは、筐体３１の第２表面３８に対して上下方向において面一に配置されている。連結プレート５９は、第１脚５７および第２脚５８と同様に、前後方向の幅寸法がＷ１となる板状に形成されている。
【００３６】
脚部５４は、第１脚５７、第２脚５８、および連結プレート５９により下方に開口するＵ字状に形成された状態でフロア３に設置されている。また、上述したように第１脚５７が筐体３１に着脱自在に連結されていることで、脚部５４が操作台ユニット７に着脱自在に連結されている。
これにより、脚部５４は、筐体３１に対する第１脚５７の連結が解除されることで、筐体３１（すなわち、操作台ユニット７）から簡単に取り外すことができる。
また、第１脚５７、第２脚５８、および連結プレート５９が板状に形成されている。これにより、脚部５４が筐体３１から取り外された状態において、脚部５４を後壁１５や第１ドア２１の前方から容易に移動させることができる。
脚部５４をブース６の後壁１５（すなわち、第１ドア２１）から移動させる理由については後で詳しく説明する。
【００３７】
天板５５は、プレート表面５９ａおよび第２表面３８上に載置されている。天板５５は、第２表面３８に支持される第１天板部６２と、連結プレート５９に支持される第２天板部６３と、を有する。第１天板部６２および第２天板部６３は一体に形成されている。よって、天板５５の表面（以下、天板面５５ａという。）は、第１天板部６２と第２天板部６３との境界でずれることがなく、意匠性が高められている。天板５５の材質は、木材、金属材、石材など適宜選択が可能である。
【００３８】
第１天板部６２は、天板５５のうち左側の部位である。第１天板部６２は、前側部位６２ａと、右側部位６２ｂと、によりＬ字形に形成されている。前側部位６２ａは、第２表面３８のうち、段部３９と第１段部４３ａとの間、および段部３９と第３段部４３ｃとの間の部位３８ａに載置される。前側部位６２ａの前端部は、段部３９よりも前方に突出している（図６参照）。
【００３９】
右側部位６２ｂは、第２表面３８のうち、筐体３１の右面と第２段部４３ｂとの間の部位３８ｂに載置される。すなわち、第１天板部６２は、第２表面３８に載置されることにより第２表面３８で支持されている。第１天板部６２は、Ｌ字形に形成されることにより、利用者２から見て左後側に開放された天板凹部６４を有する。
【００４０】
天板凹部６４は、第１天板部６２が第２表面３８で支持された状態において、凸形Ｌ字状の操作台段部４３に沿って接触するように凹形Ｌ字状に形成されている。よって、第１天板部６２が第２表面３８で支持された状態において、第１天板部６２が操作台３２を前側から右側まで囲むように配される（図３も参照）。
この状態において、第１天板部６２は、開口部３４と操作台３２（すなわち、認証機器３３）との間に前側部位６２ａが配され、かつ、筐体３１の右面と操作台３２（すなわち、認証機器３３）との間に右側部位６２ｂが配される。
【００４１】
第２天板部６３は、第１天板部６２の右側部位６２ｂから第１ドア２１の前面に沿って左右方向に延在している。第２天板部６３は、前後方向での幅寸法Ｗ２が右側部位６２ｂの幅寸法と同じ大きさに形成され、かつ、連結プレート５９の幅寸法Ｗ１より大きく形成されている。
第２天板部６３は、平面視において左右方向を長手方向とする矩形状に形成されている。第２天板部６３の後部は、連結プレート５９のプレート表面５９ａに支持されている。
【００４２】
天板５５は、開口部３４を回避した状態において後壁１５および第１ドア２１に沿って操作台ユニット７の外側位置まで直線状に延びている。このように、開口部３４を回避するように天板５５を操作台ユニット７上から直線状に延ばすことにより、操作台ユニット７と天板ユニット８とを別体で形成した場合であっても、操作システム９を一体的な外観とすることができる。
また、天板５５が操作台ユニット７の延在方向に交差（直交）する方向に直線状に延在することで、天板面５５ａを広く確保することができる。これにより、ブース６を快適に利用できる。
【００４３】
ここで、認証機器３３および開口部３４は、ブース６の左側にまとめて設置されている。これにより、例えば、認証機器３３および開口部３４をブース６の左右両側に分割して設置する場合と比べて、操作台ユニット７の小型化を図ることができる。
さらに、第２天板部６３に対して片側（左側）に認証機器３３および開口部３４がまとめて設置されている。これにより、天板５５に対して左右両側に認証機器３３および開口部３４が別々に設けられている場合に比べて、ブース６に天板５５を設置する際の自由度を高めることができる。
【００４４】
また、第１天板部６２が操作台３２の周囲を取り囲んでいる。これにより、天板面５５ａを広く確保でき、天板面５５ａを物品の仮置き場、あるいは作業領域とすることができる。これにより、操作台３２を快適に利用できる。
さらに、天板面５５ａが、操作台３２を囲む部分（第１天板部６２）と、操作台ユニット７から側方に張り出した部分（第２天板部６３）と、の全体に亘って同じ高さに形成されるとともに、天板面５５ａと操作面４２とが面一に形成されている。これにより、認証機器３３の操作時と、天板５５上での作業時と、で利用者２の手の上下動が発生し難い。その結果、利便性を向上させることができる。
また、操作台３２を囲むように天板５５を配することにより、操作台ユニット７と天板ユニット８との一体感を生むことが可能になる。これにより、意匠性を高めることができる。
【００４５】
加えて、天板５５の前縁５５ｄ（利用者２側の縁部）が例えば前方に向けて凸形の湾曲状に形成されている。本実施形態において、天板５５の前縁５５ｄは、下面側が前方に向かうに従い上方に延びる傾斜面とされ、上面側が前方に向かうに従い下方に延びる湾曲面とされている。
よって、天板と保管函との間で物品を移動させる際に、物品が天板５５の前縁５５ｄに接触して物品の移動が妨げられるのを抑制できる。すなわち、開口部３４から取り出した物品を天板面５５ａに円滑に移動させることができる。
【００４６】
さらに、図５（ｂ）に示すように、天板５５は、第２表面３８および連結プレート５９に支持された状態において、Ｌ金具６６で筐体３１に着脱自在に取り付けられている。具体的に、Ｌ金具６６は、水平部６６ａと、鉛直部６６ｂと、を有する。水平部６６ａが天板５５の裏面に第１ねじ６７でねじ結合され、鉛直部６６ｂが筐体３１の右面に第２ねじ６８でねじ結合されている。これにより、天板５５がＬ金具６６で筐体３１に取り付けられている。
さらに、水平部６６ａから第１ねじ６７を外し、あるいは、鉛直部６６ｂから第２ねじ６８を外すことにより、天板５５を筐体３１から容易に外すことができる。すなわち、天板５５は操作台ユニット７に対して着脱自在に配されている。
【００４７】
図４に戻って、本実施形態の操作システム９では、貸金庫室５内のメンテナンス時等において、天板ユニット８を取り外すことで、第１ドア２１を開放する。具体的には、Ｌ金具６６を取り外して、天板５５と筐体３１との連結を解除する。その後、操作台ユニット７及び脚部５４から天板５５を取り外す。その後、脚部５４と筐体３１との連結を解除して、操作台ユニット７から脚部５４を取り外す。これにより、第１ドア２１の前方が開放され、第１ドア２１の開閉動作が許容される。その後、第１ドア２１を開放し、第１出入口２０を通じて貸金庫室５内に進入することで、貸金庫室５内のメンテナンスを行うことができる。なお、メンテナンス終了後は、上述した動作と逆の動作により操作台ユニット７に対して天板ユニット８を取り付ける。
【００４８】
このように、天板ユニット８が操作台ユニット７に対して着脱自在に配されているため、天板ユニット８の後方に貸金庫室５への第１出入口２０（第１ドア２１）を設けることができる。すなわち、メンテナンス時等には、操作台ユニット７から天板ユニット８を外すことにより貸金庫室５へのアクセスが可能となる。これにより、天板ユニット８と貸金庫室５への第１出入口２０を別々に設ける場合に比べて、ブース６のコンパクト化を図った上で、天板５５の作業スペースを確保できる。しかも、第１ドア２１の未使用時には、第１ドア２１の前方に天板ユニット８が配されるので、防犯性能の向上も図ることができる。
【００４９】
ここで、第２表面３８と第１表面３７との間に段部３９を形成した理由を図６に基づいて説明する。図６は、貸金庫システム１のスライド蓋５２および函蓋７２が開位置の場合を示す側面図である。
例えば、第２表面３８が第１表面３７と同じ高さの場合、天板５５の下面が第１表面３７に対して同じ高さに配置される。これにより、天板５５を操作台ユニット７から外す際に、手前側に引き出した天板５５で開口部３４の周辺を傷つけることが考えられる。このため、天板５５を一旦持ち上げてから手前側に引き出す必要がある。
これに対して、本実施形態では、第２表面３８と第１表面３７との間に段部３９を形成して、天板５５が載置される第２表面３８を、段部３９の高さだけ第１表面３７に対して上方に配置した。よって、天板５５は第１表面３７に対して上方に配置されている。これにより、天板５５を操作台ユニット７から取り外す際に、前側に引き出した天板５５で開口部３４の周辺が傷付くのを抑制できる。
【００５０】
図４、図６に示すように、操作台ユニット７まで保管函１１が搬出された状態において、スライド蓋５２が開位置Ｐ１まで移動する。これにより、開口部３４が開放され、開口部３４を通じて保管函１１にアクセス可能となる。
図６に示すように、保管函１１は、上方に開口する箱型の函本体７１と、函本体７１の開口部を開閉する函蓋７２と、を備えている。函蓋７２は、開口部３４の下方まで搬出された状態において、左右方向に延びる軸線回りに回動可能に函本体７１の前端部に連結されている。すなわち、函蓋７２の開方向は、スライド蓋５２の開方向に対して反対側になっている。
【００５１】
本実施形態の函蓋７２は、後端部を把持した状態で、上方に引き上げることで、開口部３４を経て前方に向けて回動する。これにより、函本体７１の開口部が開放されることで、開口部３４を通じて保管函１１に対して物品を出し入れできる。
このように、スライド蓋５２の開方向に対して反対側に函蓋７２を開放するようにした。これにより、函蓋７２を開放する際に、認証機器３３と開口部３４との間に函蓋７２が配置されるのを回避できる。これにより、操作台ユニット７の上方空間を広く確保できるとともに、認証機器３３の操作後、開口部３４へのアクセスまでの間に利用者２と函蓋７２との干渉を抑制できる。また、天板５５と保管函１１との間で物品を移動させる際に利用者２と函蓋７２との干渉を抑制できる。これにより、利便性を向上させることができる。
【００５２】
本実施形態では、函蓋７２をスライド蓋５２の開方向に対して反対側に開放する例について説明したが、これに限らない。その他の例として、函蓋７２を利用者２の作業空間Ｓに対して反対側（左側）に開放するように構成することも可能である。
これにより、函蓋７２を開放する際に、利用者２と開口部３４との間に函蓋７２が配置されるのを回避できる。これにより、開口部３４へアクセスする際に利用者２と函蓋７２との干渉を抑制できる。これにより、利便性を向上させることができる。
【００５３】
以上説明したように、貸金庫システム１によれば、図３に示すように、操作台ユニット７に認証機器３３と開口部３４とが備えられることにより、認証機器３３および開口部３４がまとめて設置されている。これにより、操作台ユニット７のコンパクト化を図ることできる。そして、操作台ユニット７上から側方に天板ユニット８を延ばすことで、ブース６の大型化を抑制した上で、天板５５上に十分な作業スペースを確保できる。その結果、貸金庫システム１を快適に利用できる。
また、操作台ユニット７と天板ユニット８とを端面同士で突き合わせる場合に比べて、操作台ユニット７と天板ユニット８との繋ぎ目が目立ち難くなり、操作システム９の外観の意匠性を向上させることができる。
【００５４】
次に、スライド蓋５２の開位置Ｐ１において、スライド蓋５２の少なくとも後部５２ａが操作台３２の下側に配置される構成とした理由を図２に基づいて説明する。
認証機器３３と開口部３４とを一体の操作台ユニット７とした場合には、開口部３４を配する第１領域、スライド蓋５２を移動させるために必要とする第２領域、さらに認証機器３３を配する第３領域を合わせた第１〜第３の３つの領域が必要になると考えられる。
【００５５】
これに対して、本実施形態では、スライド蓋５２の開位置Ｐ１において、操作台３２の下側にスライド蓋５２を配置することで、上述した第２領域及び第３領域を共用できる。これにより、上述した第１〜第３の領域を別々に設ける場合に比べて操作台ユニット７のコンパクト化を図ることができる。
【００５６】
（変形例）
実施形態の変形例を図７に基づいて説明する。変形例の天板ユニット８０において実施形態の天板ユニット８と同一類似の構成部材については同じ符号を付して詳しい説明を省略する。
図７は、実施形態に係る変形例の天板ユニット８０を示す拡大正面図である。
図７に示すように、天板ユニット８０は、Ｌ金具６６を板部材８１に代えたもので、その他の構成は実施形態の天板ユニット８と同じである。
すなわち、天板５５は、第２表面３８および連結プレート５９に支持された状態において、板部材８１で筐体３１に着脱自在に取り付けられている。板部材８１は、左側部８１ａと、右側部８１ｂと、を有する。左側部８１ａが筐体３１の第１表面３７に第１ねじ８３でねじ結合され、右側部８１ｂが天板５５の裏面に第２ねじ８４でねじ結合されている。
【００５７】
天板５５を板部材８１で筐体３１に取り付ける場合には、まず、板部材８１の左側部８１ａを筐体３１の第１表面３７に第１ねじ８３でねじ結合する。つぎに、天板５５を第２表面３８および連結プレート５９に載置する。ついで、板部材８１の右側部８１ｂを天板５５の裏面に第２ねじ８４でねじ結合する。これにより、天板５５が板部材８１で筐体３１に取り付けられる。
一方、板部材８１の右側部８１ｂから第２ねじ８４を外すことにより、天板５５を筐体３１から容易に外すことができる。すなわち、天板５５は操作台ユニット７に対して着脱自在に配されている。
【００５８】
以上、図面を参照して、本発明の実施形態を詳述してきたが、具体的な構成は、この実施形態に限らず、本発明の要旨を逸脱しない程度の設計的変更は、本発明に含まれる。
例えば、実施形態では、ブース６の左側に操作台ユニット７を備えた例について説明したが、その他の例として、ブース６の右側に操作台ユニット７を備えることも可能である。
【００５９】
また、実施形態では、天板５５の全域を、筐体３１の第２表面３８と脚部５４の連結プレート５９とで支持する例について説明したが、これに限らない。その他の例として、例えば、天板５５の左側部（すなわち、第１天板部６２）のみを筐体３１の第２表面３８で支持する片持支持とすることも可能である。よって、実施形態で必要とする脚部５４を不要にできる。これにより、操作台ユニット７から天板５５のみを外すことにより一層容易に貸金庫室５へのアクセスが可能となる。
また、脚部５４を不要にすることにより、比較的小さなブース６に天板５５を設置する際の自由度を高めることができる。なお、操作台ユニット７とブース６の壁との間で天板５５を支持する構成としてもよい。
【００６０】
上述した実施形態では、操作台ユニット７の延在方向と天板ユニット８の延在方向とが直交する構成について説明したが、この構成のみに限られない。天板ユニット８は、操作台ユニット７上から操作台ユニット７の側方に延在する構成であれば、操作台ユニット７の延在方向と天板ユニット８の延在方向とが直交以外の交差する方向に延在していてもよく、操作台ユニット７と天板ユニット８とが直線状に並んでいてもよい。
上述した実施形態では、筐体３１の第１表面３７、第２表面３８及び操作台３２の高さが上下方向で異なる構成について説明したが、この構成のみに限られない。筐体３１の上面は、全体に亘って同一高さに形成されていてもよい。
【００６１】
上述した実施形態では、天板ユニット８が操作台ユニット７に対して着脱自在とした場合について説明したが、この構成に限られない。すなわち、天板ユニット８が操作台ユニット７に固定された構成であってもよい。
【符号の説明】
【００６２】
１  貸金庫システム
５  貸金庫室（貸金庫）
６  ブース
７  操作台ユニット
８  天板ユニット
１１  保管函
３１  筐体
３２  操作台
３３  認証機器
３４  開口部
３７  第１表面
３８  第２表面
５１  利用口
５２  スライド蓋
５５  天板
５５ｄ  天板の前縁
７２  函蓋
Ｓ  作業空間
【図１】
2020070567.tif 000003
【図２】
2020070567.tif 000004
【図３】
2020070567.tif 000005
【図４】
2020070567.tif 000006
【図５】
2020070567.tif 000007
【図６】
2020070567.tif 000008
【図７】
2020070567.tif 000009